(57)【特許請求の範囲】
【請求項１】
交差する２方向からの天井板見切りランナーの端部をランナーの延びる方向においてあそびをもたせるように受け入れて各ランナーの端部を隠すコーナー役物が天井コーナー部に備えられ、このコーナー役物に各天井板見切りランナーの端部が受け入れられており、
各ランナーは、天井板の縁部に支承されることにより天井板と壁面との境界部に保持されていて、該保持状態において該ランナーの延びる方向に変位させることができるようになされており、該保持状態で変位をさせることにより前記コーナー役物に対する受入れ深さを変更することができるようになされていることを特徴とする天井コーナー部における天井板見切りランナーの端部処理構造。
【発明の詳細な説明】
【０００１】
【発明の属する技術分野】
本発明は、屋内の天井や、軒天井などに用いられる、天井コーナー部における天井板見切りランナーの端部処理構造に関する。
【０００２】
【従来の技術】
屋内天井や軒天井において、図６（イ）（ロ）に示すように、天井板５１と壁面５２との境界部に天井板見切りランナー５３を付け、このランナー５３で天井板５１と壁面５２との隙間を隠して境界部をきれいに仕上げることが行われる。
【０００３】
そして、直交する２方向からランナー５３，５３が延びてきてその端部同士が出合う天井コーナー部では、これらランナー５３，５３の端部をきれいに出合わせるために、図４（ハ）（ニ）に示すように、各ランナー５３，５３の端部を４５°にカットし、このカット面５４，５４同士をコーナー部において突き合わ状態にすることが行われている。この切断を予め工場などで行ったのでは寸法がうまく合いにくく、そのため、現場合わせで寸法を決め、現場で切断が行われる。
【０００４】
【発明が解決しようとする課題】
しかしながら、ランナー５３をどの位置で４５°に切断するかの位置の特定が現場ではなかなかに難しく、切断位置が奥過ぎたために、突き合わせようとするカット面５４，５４間に隙間を生じ、そのため、そのランナーを廃材にしなければなかったり、また、切断位置が手前過ぎたために、カット面５４，５４同士がうまい具合に突き合わせ状態にならず、そのため、再度、切断を行わなければならなかったりして、施工に手間を要するという問題があった。
【０００５】
また、ランナー５３の端部を４５°にカットすることで、現場に多くの廃材を生じさせてしまうと共に、施工者によって仕上がり精度にバラツキを生じさせやすいという問題もあった。
【０００６】
本発明は、上記のような従来の問題に鑑み、施工が容易で、廃材の出が少なく、仕上がり精度にバラツキを生じさせずにきれいに仕上げることができる、天井コーナー部における天井板見切りランナーの端部処理構造を提供することを課題とする。
【０００７】
【課題を解決するための手段】
上記の課題は、交差する２方向からの天井板見切りランナーの端部をランナーの延びる方向においてあそびをもたせるように受け入れて各ランナーの端部を隠すコーナー役物が天井コーナー部に備えられ、このコーナー役物に各天井板見切りランナーの端部が受け入れられていることを特徴とする天井コーナー部における天井板見切りランナーの端部処理構造によって解決される。
【０００８】
この構造では、コーナー役物を天井コーナー部に備えさせ、このコーナー役物にランナーの端部をランナーの延びる方向においてあそびをもたせるように受け入れさせて隠すようにしたものであるから、ランナーの長さ寸法はある程度大まかでよく、ランナーの長さ寸法の調整を厳密に行う必要がなく、そのため、現場でのカットはもとより、工場などでのプレカットも可能となり、施工を容易に行うことができると共に、廃材の出を少なくし、あるいは、なくすことができる。しかも、ランナーの端部をコーナー役物で隠すものであるから、仕上がり精度にバラツキを生じず、きれいに仕上げることができると共に、コーナー役物に受け入れられる側のランナー端部については斜めカットをする必要もない。
【０００９】
【発明の実施の形態】
次に、本発明の実施形態を図面に基づいて説明する。
【００１０】
図１（イ）（ロ）において、１は壁面であり、この壁面１には、２つの出隅部Ａ，Ｂと２つの入隅部Ｃ，Ｄとが存在する。そして、天井高さ位置において、各隅部Ａ，Ｂ，Ｃ，Ｄを挟むように天井板見切りランナー２ａ，２ｂ，２ｃ，２ｄ，２ｅが壁面１に沿って延ばされ、入隅部Ｃ，Ｄにはコーナー役物３，３が備えられている。
【００１１】
本実施形態の天井板見切りランナー２は、図１（ハ）（ニ）に示すように、横向き開放の横断面コ字状材からなり、上辺４が下辺部５よりも外方に突出し、下辺部５の先端に低い立ち上がり６を有しており、上下の辺部４，５間に天井板８の縁部を嵌め込んで上辺部４を天井板８の縁部上面に支承させることで、天井板８と壁面１との境界部に保持されるようになされている。この保持状態において、ランナー２を壁面１側に近接状態に配置することで、壁面１と天井板８との間の隙間がランナー２によって隠される。
【００１２】
コーナー役物３は、図２に示すように、平面視Ｌ字状のベース板部１１と、ベース板部１１の各辺部１１ａ，１１ａの交部上面に形成された隆起部１２と、隆起部１２から、各辺部１１ａ，１１ａに沿うように各辺部１１ａ，１１ａから上方に離間して片持ち状態で延ばされた舌板部１３，１３と、ベース板部１１の内周側に形成された立ち上がり１４とを備えている。そして、ランナー２の下辺部５を、コーナー役物３のベース板部１１の辺部１１ａと舌板部１３との間に差し込むと共に、ランナー２の立ち上がり６を、コーナー役物３の舌板部１３と立ち上がり１４との間に差し込むことで、ランナー２の端部がコーナー役物３に受け入れられるようになされていて、天井板を取り付けた状態で斜め下方から見た場合に、図２（イ）に示すように、ランナー２の端部がコーナー役物３のベース板部１１と立ち上がり１４とによって隠されるようになっている。
【００１３】
そして、このコーナー役物３のベース板部１１の各辺部１１ａ，１１ａと舌板部１３，１３とは、ある程度長く設計されていて、ランナー２，２の端部を深く受け入れさせたり、浅く受け入れさせたりすることができるようになっている。即ち、ランナー２の端部をこのランナーの延びる方向においてあそびをもたせるように受け入れさせることができるようになっている。そして、浅く受け入れさせる場合も深く受け入れさせる場合も、ランナー２の端部は、コーナー役物３のベース板部１１と立ち上がり１４とによって隠された状態を維持するものとなされている。
【００１４】
このコーナー役物３を、図１（イ）に示すように、各入隅部Ｃ，Ｄに用いることにより、各隅部Ａ，Ｂ，Ｃ，Ｄ間におけるランナー２ｂ，２ｃ，２ｄの長さ寸法が少し長いような場合には、各ランナー２ｂ，２ｃ，２ｄをコーナー役物３，３に深く受け入れさせるようにすることで、余分な長さ寸法分をコーナー役物３，３に呑み込ませることができる。また、ランナー２ｂ，２ｃ，２ｄの長さ寸法が少し短いような場合には、各ランナー２ｂ，２ｃ，２ｄをコーナー役物３，３に浅く受け入れさせるようにすることで、不足する長さ寸法分をコーナー役物３，３で補わせることができる。従って、ランナー２ｂ，２ｃ，２ｄを現場合わせで切断するような場合には、寸法上ある程度ラフに切断することができ、また、予め工場などでプレカットしたランナーの使用も可能となる。
【００１５】
なお、本実施形態では、出隅部Ａ，Ｂについては、ランナー２ａ，２ｂ，２ｄ，２ｅの端部を４５°にカットし、コーナー役物を使用することなく、カット面同士を突き合わせるようにしている。ランナー２ｂ，２ｄの一方の端部をコーナー役物３，３に受け入れさせることで、ランナー２ｂ，２ｄのもう一方の端部は、これをランナーの延びる方向に進出変位させたり、後退変位させたりすることができ、それによって、４５°カット面同士をきれいな突き合わせ状態にすることができる。これにより、この４５°カット面も工場などでプレカットしておくことも可能となる。なお、出隅部用の同様なコーナー役物を用意し、このコーナー役物にランナーの端部を受け入れさせるようにしてもよいことはいうまでもない。
【００１６】
図３には、入隅部用のコーナー役物の他の例を示す。このコーナー役物３は、平面視Ｌ字状のベース板部１１と、ベース板部１１の各辺部１１ａ，１１ａの交部上面に一端が固定され、各辺部１１ａ，１１ａの上面側を各辺部１１ａ，１１ａに沿うよう延ばされ、他端をフリーにした板バネ２１，２１と、ベース板部１１の内周側に形成された立ち上がり１４とを備えている。
【００１７】
そして、ランナー２の下辺部５を、コーナー役物３のベース板部１１の辺部１１ａと板バネ２１との間に差し込むと共に、ランナー２の立ち上がり６を、コーナー役物３の板バネ２１と立ち上がり１４との間に差し込むことで、ランナー２の端部がコーナー役物３に受け入れられるようになされている。このコーナー役物３では、ランナー２の端部を板バネ２１の弾性作用で位置決め状態に保持することができる。
【００１８】
図４及び図５に示す実施形態では、コーナー役物３が、平面視Ｌ字状のベース板部１１と、ベース板部１１の内周側に形成された立ち上がり１４と、ベース板部１１の各辺部１１ａ，１１ａの交部の上方に離間し、ベース板部１１の内周側を越えて内方に突出された取付け板部２２とを有する。取付け板部２２は、ベース板部１１の交部内周部を越えた内方側に位置して取付け孔２３を備えており、ベース板部１１から水平方向にすらベース板部１１の各辺部１１ａ，１１ａの交部外周側に形成された立ち上がり２４を介してベース板部１１に連接されている。このコーナー役物３は、その取付け板部２２をビス２５などで木下地２６に止め付けられる。そして、ランナー２の立ち上がり６をコーナー役物３の立ち上がり１４の内側に位置させるようにして、ランナー２の下辺部５をコーナー役物３のベース板部１１の辺部１１ａ上にのせることで、ランナー２の端部が、ランナー２の延びる方向においてあそびを有して、コーナー役物３に受け入れられるようになされている。８は軒天井板であり、１は外壁面である。
【００１９】
以上に、本発明の実施形態を示したが、本発明はこれに限られるものではなく、発明思想を逸脱しない範囲で、各種の変更が可能である。例えば、天井板見切りランナーやコーナー役物として、上述した以外の各種形態のものが用いられてよい。
【００２０】
【発明の効果】
本発明の天井コーナー部における天井板見切りランナーの端部処理構造は、以上のとおりのものであるから、施工が容易で、廃材の出が少なく、仕上がり精度にバラツキを生じさせずにきれいに仕上げることができる。
【図面の簡単な説明】
【図１】実施形態を示すもので、図（イ）は天井部の断面平面図、図（ロ）は入隅部Ｃの拡大断面平面図、図（ハ）は図（ロ）のＩ−Ｉ線断面図、図（ニ）は図（ロ）のＩＩ−ＩＩ線断面図である。
【図２】図（イ）（ロ）はそれぞれコーナー役物とランナーとを分離状態にして示す一部断面斜視図である。
【図３】コーナー役物の他の例を示すもので、図（イ）は側面図、図（ロ）は平面図、図（ハ）は斜視図である。
【図４】他の実施形態を示すもので、図（イ）は入隅部の拡大断面平面図、図（ロ）は図（イ）のＩＶ−ＩＶ線断面図、図（ハ）は図（イ）のＶ−Ｖ線断面図である。
【図５】図（イ）（ロ）はそれぞれコーナー役物とランナーとを分離状態にして示す斜視図である。
【図６】従来例を示すもので、図（イ）は天井部の断面平面図、図（ロ）は図（イ）のＩＩＩ−ＩＩＩ線断面図、図（ハ）（ニ）はそれぞれコーナー部におけるランナーの端部構造を示す一部断面斜視図である。
【符号の説明】
１…壁面
２…天井板見切りランナー
３…コーナー役物
８…天井板
【図１】
0004540793.tif 000002
【図２】
0004540793.tif 000003
【図３】
0004540793.tif 000004
【図４】
0004540793.tif 000005
【図５】
0004540793.tif 000006
【図６】
0004540793.tif 000007